(57)【要約】  本発明は、ペトリ皿の長期にわたる保管寿命及び無菌性の保存のための、改良されたペトリ皿の平坦な包装及びそれを製造する方法を提供する。平坦な包装は光学的に透明、高遮断性、耐湿性、耐ガス性、及び耐菌性の袋から構成される。互いに隣接して位置付けられる複数のペトリ皿は、袋の内腔の中に配置され、その後、袋は真空包装され、任意選択的に不活性ガスで洗浄され、次にヒートシールされる。袋の中でのペトリ皿の配置及び不動性により、長期にわたる保管寿命及び無菌性の保存、大幅に低減された破損率、並びに使用者によるペトリ皿の向上した視認性がもたらされる。【選択図】図４
2014520039.tif 000002
【特許請求の範囲】
【請求項１】
ペトリ皿の長期にわたる保管寿命及び保存のための、複数のペトリ皿を含有する平坦な包装であって、複数の無菌ペトリ皿を中に含有する光学的に透明、高遮断性、耐湿性、耐ガス性、及び耐菌性の袋を含み、前記袋が内腔を有し、前記複数のペトリ皿のそれぞれが前記袋の前記内腔の中に互いに隣接して位置付けられ、前記袋の透明性及び袋の中での前記ペトリ皿の配置により、前記ペトリ皿の長期にわたる保管寿命及び無菌性の保存、低減されたペトリ皿の移動性、並びに使用者による各ペトリ皿の向上した視認性がもたらされることを特徴とする平坦な包装。
【請求項２】
請求項１に記載の平坦な包装において、前記複数のペトリ皿が前記袋の１つの面に整列されることを特徴とする平坦な包装。
【請求項３】
請求項１に記載の平坦な包装において、前記袋が、ポリプロピレン、配向ポリプロピレン（ＯＰＰ）、ポリエチレンテレフタレート（ＰＥＴ）及びそれらの組合せからなる群から選択される、はっきり透明な樹脂材料から構成されることを特徴とする平坦な包装。
【請求項４】
請求項１に記載の平坦な包装において、前記袋の前記内腔から大気を排出するために真空が前記袋の前記内腔に適用されることを特徴とする平坦な包装。
【請求項５】
請求項１に記載の平坦な包装において、前記袋の前記内腔が、前記真空の適用後、不活性ガスで任意選択的に洗浄されることを特徴とする平坦な包装。
【請求項６】
請求項１に記載の平坦な包装において、前記不活性ガスが窒素ガスであることを特徴とする平坦な包装。
【請求項７】
請求項１に記載の平坦な包装において、前記真空の適用後、及び任意選択的に前記不活性ガスによる洗浄後、前記袋がヒートシールされることを特徴とする平坦な包装。
【請求項８】
請求項１に記載の平坦な包装において、前記袋がジップロックなどの簡易開封手段を有することを特徴とする平坦な包装。
【請求項９】
請求項１に記載の平坦な包装において、前記袋及び前記複数のペトリ皿が、無菌環境中で無菌的に取り扱われることを特徴とする平坦な包装。
【請求項１０】
請求項１に記載の平坦な包装において、前記複数のペトリ皿が、約１０〜約２０個のペトリ皿からなることを特徴とする平坦な包装。
【請求項１１】
請求項１に記載の平坦な包装において、前記袋の形状が、円形、長方形、楕円形、及び正方形からなる群から選択されることを特徴とする平坦な包装。
【請求項１２】
請求項１に記載の平坦な包装において、前記複数のペトリ皿が、少なくとも１２か月の間、保管寿命を有し、かつ無菌性を維持することを特徴とする平坦な包装。
【請求項１３】
ペトリ皿の長期にわたる保管寿命及び保存のための複数のペトリ皿を含有する平坦な包装を製造する方法であって、
光学的に透明、高遮断性、耐湿性、耐ガス性、及び耐菌性の袋であって、内腔を有する袋を得るステップと、
複数のペトリ皿を前記袋の前記内腔に挿入するステップであって、前記複数のペトリ皿のそれぞれが別のペトリ皿に隣接して位置付けられるステップと、
前記袋に真空を適用して前記袋及び前記複数のペトリ皿から大気を排出するステップと、
任意選択的に前記袋を不活性ガスで洗浄するステップと、
前記袋をヒートシールするステップとを含み、前記袋の透明性及び袋の中でのペトリ皿の配置により、前記ペトリ皿の長期にわたる保管寿命及び無菌性の保存、前記袋の中での前記ペトリ皿の低減された移動性、並びに使用者による前記ペトリ皿のそれぞれの向上した視認性がもたらされることを特徴とする方法。
【請求項１４】
請求項１３に記載の方法において、前記複数のペトリ皿が前記袋の１つの面に整列されることを特徴とする方法。
【請求項１５】
請求項１３に記載の方法において、前記袋が、ポリプロピレン、配向ポリプロピレン（ＯＰＰ）、ポリエチレンテレフタレート（ＰＥＴ）及びそれらの組合せからなる群から選択される、はっきり透明な樹脂材料から構成されることを特徴とする方法。
【請求項１６】
請求項１３に記載の方法において、前記不活性ガスが窒素ガスであることを特徴とする方法。
【請求項１７】
請求項１３に記載の方法において、前記封止された袋がジップロックなどの簡易開封手段を有することを特徴とする方法。
【請求項１８】
請求項１３に記載の方法において、前記袋及び前記複数のペトリ皿が、無菌環境中で無菌的に取り扱われることを特徴とする方法。
【請求項１９】
請求項１３に記載の方法において、前記複数のペトリ皿が、約１０〜約２０個のペトリ皿からなることを特徴とする方法。
【請求項２０】
請求項１３に記載の方法において、前記複数のペトリ皿が、少なくとも１２か月の間、保管寿命を有し、かつ無菌性を維持することを特徴とする方法。
【発明の詳細な説明】
【技術分野】
【０００１】
関連出願の相互参照
本出願は、２０１２年４月１８日に出願された米国特許出願第１３，４４９，８５７号明細書、及び２０１１年４月１８日に出願された米国仮特許出願第６１／４７６，７３８号明細書に対する優先権を主張し、その両方は参照することにより本明細書に組み込まれる。
【０００２】
本発明は医療用品の包装に関し、詳細には、その中に包装されたペトリ皿の視認性を高め、不動性を低減し、保管寿命及び無菌性を引き延ばすペトリ皿の改良された包装に関する。
【背景技術】
【０００３】
臨床医、科学者及び微生物または細胞を培養するその他の人によって使用される典型的なペトリ皿は、可変寸法の浅いポリスチレン樹脂製の蓋付きの皿である。ペトリ皿は一般的に２０個の皿からなる包装商品として販売され、包装中、各皿は互いに直接重ねられ、樹脂製スリーブで囲まれる。樹脂製スリーブ中に包含される従来技術によるペトリ皿の包装の図が図１に示されている。
【０００４】
上に記載されるようなペトリ皿の現行の包装はいくつかの欠点を抱える。第一に、ペトリ皿の１つまたは複数に雑菌が混入された場合、または何らかの欠陥がある場合、そのような雑菌混入または欠陥の視認は、不透明またはわずかに不透過性である、従って使用前に使用者による検査ができない包装のせいで不可能であるか、または皿を互いに直接重ねるせいでせいぜい各皿の特定部分のみに制限される。第二に、樹脂製スリーブ内のペトリ皿はスリーブ内でかなりの移動量を有し、従って滑りを許容し、その結果、ペトリ皿の１つまたは複数に約２０％の平均破損率をもたらす。第三に、ペトリ皿の典型的な樹脂製スリーブの平均保管寿命はわずか約３か月である。
【０００５】
従って、現在入手可能な包装されたペトリ皿を使って直面する欠点を克服するペトリ皿を保管及び出荷するための改良された包装材料を提供する必要性が存在する。
【発明の概要】
【０００６】
本発明は、ペトリ皿の長期にわたる保管寿命及び保存のための、ペトリ皿の改良された平坦な包装（「フラットパック」）、及びそれを製造する方法を提供することによってこの必要性を満たす。
【０００７】
一態様において、本発明は、光学的に透明、高遮断性、耐湿性、耐ガス性、及び耐菌性の袋から構成される、ペトリ皿の長期にわたる保管寿命及び保存のための、複数のペトリ皿を含有する平坦な包装を提供する。袋は、不動化された複数のペトリ皿を中に含有する内腔を有し、内腔の中で複数のペトリ皿のそれぞれは互いに隣接して位置付けられる。袋の透明性及びその中でのペトリ皿の配置及び不動化により、ペトリ皿の長期にわたる保管寿命及び無菌性の保存、大幅に低減された破損率、並びに各ペトリ皿の向上した視認性がもたらされ、向上した視認性によって雑菌混入及び／または破損に関して使用者がペトリ皿を容易に検査することが可能になる。
【０００８】
他の態様において、本発明は、ペトリ皿の長期にわたる保管寿命及び保存のための複数のペトリ皿を含有する平坦な包装を製造する方法を提供する。方法は、無菌性、光学的に透明、高遮断性の、耐湿性、耐ガス性、及び耐菌性の袋を得るステップと、複数の無菌ペトリ皿を袋の内腔に挿入するステップであって、各ペトリ皿を別のペトリ皿に隣接して位置付けるステップと、袋の内腔に真空を適用して袋から大気を排出するステップと、任意選択的に袋の内腔を不活性ガスで洗浄するステップと、袋をヒートシールするステップとを含む。
【０００９】
１つの実施形態では、平坦な包装はジップロックなどの簡易開封手段を有する。
【００１０】
本発明による袋及び複数のペトリ皿のそれぞれは、無菌性を保証するために無菌環境中で無菌的に取り扱われる。
【００１１】
袋は、限定することなくポリプロピレン、配向ポリプロピレン（ＯＰＰ）、ポリエチレンテレフタレート（ＰＥＴ）またはそれらの組合せなど、はっきり透明な透き通った樹脂材料から構成可能である。
【００１２】
平坦な包装に包含されるペトリ皿の数は、約１０〜約２０個のペトリ皿の範囲であることができる。１つの実施形態では、複数のペトリ皿は袋の１つの面に整列される。
【００１３】
本発明による平坦な包装は無菌性を維持し、かつその中に包含されるペトリ皿に少なくとも１２か月の保管寿命を提供する。
【図面の簡単な説明】
【００１４】
本発明の完全な理解は、添付の図面と関連して読まれる以下の記載から得られる。
【００１５】
【図１】図１は、円筒状の樹脂製スリーブに囲まれたスタック式ペトリ皿の従来技術の包装の図である。
【図２】図２は、本発明による平坦な包装に包装された複数のペトリ皿の上面図である。
【図３】図３は、本発明による別のペトリ皿に隣接して位置付けられた各ペトリ皿を示す図２の線３−３で取られた断面図である。
【図４】図４は、本発明による複数のペトリ皿を中に有する平坦な包装の斜視図である。
【発明を実施するための形態】
【００１６】
本明細書で使用される際、用語「ペトリ皿」「皿」、及び「単一プレート」は、相互に交換可能であることを意図されている。
【００１７】
本明細書で使用される際、用語「平坦な包装」及び「フラットパック」は、相互に交換可能であることを意図されている。
【００１８】
本明細書で使用される際、用語「保管寿命」は、ペトリ皿を販売及び使用に不適切になることなく保管できる時間の長さを指すことを意図されている。
【００１９】
本発明の完全な理解は、添付の図面と関連して読まれる以下の詳細な記載から得られる。図面中、同様の参照符号は、全図面を通して同様の部分を特定する。
【００２０】
ここで図面を参照すると、図２は、本発明による複数のペトリ皿１２のフラットパック１０を示す。フラットパック１０は袋１４を含み、袋１４の中に、複数のペトリ皿１２が包含され、かつ不動化される。図３及び４に示されるように、袋１４は内腔１７を有し、その中に複数のペトリ皿１２のそれぞれが位置付けられている。複数のペトリ皿１２のそれぞれは、間に仕切１６が殆どない状態で別のペトリ皿１２に隣接して位置付けられる（図３に最もよく示されている）。
【００２１】
図４に示されるように、袋１４は簡易開封手段１８を含んでもよい。簡易開封手段１８は、限定することなく、可剥性手段、ジッパー手段、ジップロック手段、または当業者に使用される他のいかなる適切な簡易開封手段を含んでもよい。ある実施形態では、簡易開封手段はジップロック１８である。
【００２２】
本発明はまた、ペトリ皿の長期保管のためのペトリ皿のフラットパックを製造する方法を提供する。方法は、無菌性、光学的に透明、高遮断性、耐湿性、耐ガス性、及び耐菌性の袋を提供するステップと、複数の無菌ペトリ皿を袋の内腔に挿入するステップであって、各ペトリ皿を別のペトリ皿に隣接して位置付けるステップと、袋に真空を適用して袋の内腔から大気を排出するステップと、場合により袋の内腔を不活性ガスで洗浄するステップと、袋をヒートシールするステップとを含む。
【００２３】
真空パック、即ち真空包装は、密封に先立ち容器から空気を除去する包装方法である。それは一般的に、酸素を容器から除去して内容物の保管寿命を延ばすか、好気性細菌及び菌の成長を抑制するために使用される。本発明による真空パックは、袋の内腔内の気圧を約０．５ミリバールまで減じることができる、限定することなく真空チャンバなどの、任意の適切な真空装置を使用して達成することができる。排気後、袋は窒素ガスなどの不活性ガスで洗浄することができる。不活性ガスで洗浄した後、袋はヒートシールされる。適切なヒートシールプロセスは、限定することなく、空気式ヒートシール法を含んでもよい。
【００２４】
本発明による袋は、それが光学的に透明で、環境に対して高遮断性を形成し、かつ耐湿性、耐ガス性、耐菌性である限り、限定することなくポリプロピレン、配向ポリプロピレン（ＯＰＰ）、ポリエチレンテレフタレート（ＰＥＴ）またはそれらの組合せなど、はっきり透き通った樹脂材料から製造可能である。
【００２５】
袋の光学的透明性、ペトリ皿の互いに隣接した配置、及び本発明による袋の真空パック、及び任意選択的な窒素での洗浄によるペトリ皿のその中での不動化により、各ペトリ皿の改良した視認性と、著しく低減した破損率と、ペトリ皿の長期にわたる保管寿命及び無菌性の保存とが可能になる。従来技術によるペトリ皿の包装と対照的に、微生物、化学物質、紫外線または他のどのような混入物質にも由来する本発明のフラットパック中のペトリ皿の１つまたは複数に対するいかなる欠陥または雑菌混入も、使用者によって容易に検出可能である。
【００２６】
従って本発明は、従来技術によるペトリ皿の包装を上回る以下の重要な利点及び改良点を提供する：（１）スタックの最上部と最下部の間にある皿の視認性が非常に制限される従来技術のペトリ皿のスタック式の包装（図１参照）と対照的に、欠陥または雑菌混入に関して各ペトリ皿を容易に可視化及び検査する能力；（２）各ペトリ皿を、互いに直接重ねるのではなく並列式に配置することによるペトリ皿の向上した緩衝性；（３）真空パックされない、ひいては不動でない従来技術によるペトリ皿の包装と対照的に、ペトリ皿の挿入に続くフラットパックの真空パックによるフラットパック中のペトリ皿の大幅に低減された移動性。本発明によって提供されるペトリ皿の不動性により、フラットパック中のペトリ皿の破損がかなり排除される。
【００２７】
本発明によるペトリ皿のフラットパックにより、ペトリ皿の驚くほど長い保管寿命、即ち平均少なくとも１２か月以上の保管寿命が可能になる。これは、約３か月の平均保管寿命を有する従来技術により包装されたペトリ皿と対照的である。
【００２８】
本発明の平坦な包装の袋が収容できるペトリ皿の数は、袋のサイズ並びにその中に包含される各ペトリ皿のサイズに依存することは認識されよう。典型的なペトリ皿は、３５ｍｍ×１０ｍｍ、６０ｍｍ×１５ｍｍ、１００ｍｍ×２０ｍｍ、または１５０ｍｍ×２５ｍｍの寸法（直径×高さ）を有する。１つの実施形態では、平坦な包装の袋は、３５ｍｍ×１０ｍｍ、６０ｍｍ×１５ｍｍまたは１００ｍｍ×２０ｍｍの寸法を有するペトリ皿を約１０〜約２０個収容し得る。別の実施形態では、平坦な包装の袋は、１５０ｍｍ×２５ｍｍの寸法を有するペトリ皿を約５〜約１０個収容し得る。
【００２９】
本発明のフラットパック中のペトリ皿は、袋の１つの平面に整列された別のペトリ皿に隣接して配置することができる。或いはペトリ皿を二つ折りにして、隣接するペトリ皿の２つの列を形成することができる。
【００３０】
本発明による袋の形状は、限定することなく、円形、長方形、楕円形、正方形、またはその中に前出の数のペトリ皿を収容する他の任意の形状などの形状を含むことができる。
【実施例】
【００３１】
本発明のペトリ皿の長期にわたる保管寿命及び保存のための向上した平坦な包装を以下の非限定的な例において更に記載する。以下の非限定的な例は、多数の修正及び変更が当業者に明らかになるように、従来技術によるペトリ皿の包装と比較した時の本発明の優れた特性の一例に過ぎないことが意図される。
【００３２】
実施例１
ペトリ皿のフラットパックの、従来技術により包装されたペトリ皿との比較
様々な販売業者が、トリプトソイ寒天培地（Ｔｒｙｐｔｉｃ  Ｓｏｙ  Ａｇａｒ）（ＴＳＡ）単一プレートを供給している。しかしながらＮａｎｏＬｏｇｉｘ，Ｉｎｃ．（ＮＮＬＸ）によって供給される製品は、その独特の包装によって差別化された。「フラットパック」と呼ばれるように、それは、単層の頑丈なハニカム状構造に配置された１０個の単一プレートを含む。即ち、プレートは互いに重ねられない。更にポリマー製包装袋が真空により密封され、更に包装の丈夫さを高める。他の販売業者は一般に単一プレートを樹脂製包装材料、またはスリーブ中で１０個以上の量で互いに重ね、円筒状の構成とする。これら円筒状の包装は真空密封されない。結果として、激しい凝結が単一プレート内に発生し得る。更に真空パックを欠くことにより、円筒状の包装中のペトリ皿は不動化されない。典型的なペトリ皿はポリスチレン樹脂から製造されるので、それらの出荷ケースが雑に扱われる場合損傷しやすい。従って出荷中の皿のかなりの破損率がある。
【００３３】
ＮＮＬＸにより製造、包装及び出荷されたＴＳＡ単一プレート（ＮＮＬＸロット番号０００６５１３）の保管寿命試験が、Ｂａｔｔｅｌｌｅ  Ｍｅｍｏｒｉａｌ  Ｉｎｓｔｉｔｕｔｅによって行われた。納入後、フラットパック中の各単一プレートは損傷または雑菌混入に関して視覚的に検査された。検査は包装材料の透過性及びフラットパック中の単一プレートの配置により容易に実行された。フラットパック中のＮＮＬＸ  ＴＳＡ単一プレートに損傷したもの及び雑菌の混入を示したものがなかったことが注目された。
【００３４】
保管寿命試験は１２か月の期間にわたり実行し、各単一プレートにおける段階希釈中の精製炭疽菌エームズ胞子を使用して、フラットパック中に包装されたＮＮＬＸ  ＴＳＡ単一プレートと従来式の円筒状の樹脂製スリーブ中に包装されたＴＳＡ単一プレートとを比較した。３７±２℃での１８〜２４時間の培養後、コロニーを数え上げた。第三者販売業者からの単一プレートの細菌生育の量的な値を、ＮＮＬＸ  ＴＳＡ単一プレートの細菌生育と比較した。
【００３５】
結果は、第三者販売業者のＴＳＡ単一プレート上に平板化された胞子のミリリットルあたりの平均コロニー形成単位（ＣＦＵ／ｍｌ）が１．０７×１０９ＣＦＵ／ｍｌであることを示した。ＮＮＬＸ  ＴＳＡ単一プレートは平均して９．６０×１０８ＣＦＵ／ｍｌだった。７．４７％の変異係数は、数え上げたコロニーの許容基準内だった。
【００３６】
第三者販売業者からのＴＳＡ単一プレートの保管寿命は約３か月以下であるのでこれらの結果は意外なものだったが、ＮＮＬＸ  ＴＳＡ単一プレートは１２か月後に同等のコロニー生育を支持した。約３か月後、第三者販売業者からのＴＳＡ単一プレートは一般に、より薄い寒天層によって示される培地の乾きまたは乾燥を示す。対照的に、フラットパックからのＮＮＬＸ  ＴＳＡ単一プレートは１２か月にわたり初期の寒天厚さを維持した。更に数え上げの結果は、ＮａｎｏＬｏｇｉｘによって使用される培地内の栄養分（ＢＤ大豆−カゼイン）が十分に実行可能だったこと、即ち１２か月後フラットパック中に包装されたペトリ皿中で乾きも乾燥もせず、それが３か月のかなりより短い保管寿命を有する第三者販売業者のＴＳＡと同様のコロニー生育の促進を可能にしたことを示唆する。
【００３７】
その幅広い発明的概念から逸脱することなく上に記載した実施形態に変更を施してもよいことは当業者に認識されよう。従って本発明は開示した特定の実施形態に限定されず、添付の請求項によって定義されるような本発明の趣旨及び範囲内にある修正形態を網羅するよう意図されていることが理解される。
【図１】
2014520039.tif 000003
【図２】
2014520039.tif 000004
【図３】
2014520039.tif 000005
【図４】
2014520039.tif 000006
【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
ペトリ皿の長期にわたる保管寿命及び保存のための、栄養培地を中に包含する複数のペトリ皿を含有する平坦な包装であって、光学的に透明、高遮断性、耐湿性、耐ガス性、及び耐菌性の袋を含み、前記袋が内腔を有し、かつその中に不動化された複数の無菌栄養媒体含有ペトリ皿を含有し、前記複数のペトリ皿のそれぞれが、前記袋の前記内腔内に同一平面配置で実質的に整列された別のペトリ皿と隣接して位置付けられ、前記袋は前記袋の前記内腔から空気が排出されたあとヒートシールされ、前記袋の透明性と、前記袋の中での前記ペトリ皿の不動性、整列、及び緩衝と、空気の排出とにより、前記ペトリ皿及びその中に含有される栄養培地の長期にわたる保管寿命及び無菌性の保存と、ペトリ皿の破損の実質的排除と、使用者による各ペトリ皿の向上した視認性とがもたらされることを特徴とする平坦な包装。
【請求項２】
請求項１に記載の平坦な包装において、前記複数のペトリ皿が前記袋の１つの面に整列されることを特徴とする平坦な包装。
【請求項３】
請求項１に記載の平坦な包装において、前記袋が、ポリプロピレン、配向ポリプロピレン（ＯＰＰ）、ポリエチレンテレフタレート（ＰＥＴ）及びそれらの組合せからなる群から選択される、はっきり透明な樹脂材料から構成されることを特徴とする平坦な包装。
【請求項４】
（取り消し）
【請求項５】
請求項１に記載の平坦な包装において、前記袋の前記内腔が、前記袋の前記内腔から空気が排出された後、不活性ガスで洗浄されることを特徴とする平坦な包装。
【請求項６】
請求項５に記載の平坦な包装において、前記不活性ガスが窒素ガスであることを特徴とする平坦な包装。
【請求項７】
請求項１に記載の平坦な包装において、前記袋がヒートシールされることを特徴とする平坦な包装。
【請求項８】
請求項１に記載の平坦な包装において、前記袋が簡単な開封及び密封の為に、ジップロックを有することを特徴とする平坦な包装。
【請求項９】
請求項１に記載の平坦な包装において、前記袋及び前記複数のペトリ皿が、無菌環境中で無菌的に取り扱われることを特徴とする平坦な包装。
【請求項１０】
請求項１に記載の平坦な包装において、前記複数のペトリ皿が、約１０〜約２０個のペトリ皿からなることを特徴とする平坦な包装。
【請求項１１】
請求項１に記載の平坦な包装において、前記袋の形状が、円形、長方形、楕円形、及び正方形からなる群から選択されることを特徴とする平坦な包装。
【請求項１２】
請求項１に記載の平坦な包装において、前記複数のペトリ皿及びその中に含有される栄養培地が、少なくとも１２か月の間、保管寿命を有し、かつ無菌性を維持することを特徴とする平坦な包装。
【請求項１３】
ペトリ皿の長期にわたる保管寿命及び保存のための、栄養培地を中に含有した複数のペトリ皿を含有する平坦な包装を製造する方法であって、
光学的に透明、高遮断性、耐湿性、耐ガス性、及び耐菌性の袋であって、内腔を有する袋を得るステップと、
複数のペトリ皿を前記袋の前記内腔に挿入するステップであって、前記複数のペトリ皿のそれぞれが互いに隣接して位置付けられ、かつ同一平面配置で実質的に整列され、前記複数のペトリ皿が前記袋の前記内腔内で不動化されるステップと、
前記袋の前記内腔及びその中の前記複数のペトリ皿から空気を排出するステップと、
任意選択的に前記袋を不活性ガスで洗浄するステップと、
前記袋をヒートシールするステップとを含み、前記袋の透明性及び前記袋による緩衝と、袋の中でのペトリ皿の不動化された配置及び実質的に同一平面の配置と、空気の排出とにより、前記ペトリ皿及びその中に含有される栄養培地の長期にわたる保管寿命及び無菌性の保存と、前記ペトリ皿の破損の実質的排除と、使用者による前記ペトリ皿のそれぞれの向上した視認性とがもたらされることを特徴とする方法。
【請求項１４】
請求項１３に記載の方法において、前記複数のペトリ皿が前記袋の１つの面に整列されることを特徴とする方法。
【請求項１５】
請求項１３に記載の方法において、前記袋が、ポリプロピレン、配向ポリプロピレン（ＯＰＰ）、ポリエチレンテレフタレート（ＰＥＴ）及びそれらの組合せからなる群から選択される、はっきり透明な樹脂材料から構成されることを特徴とする方法。
【請求項１６】
請求項１３に記載の方法において、前記不活性ガスが窒素ガスであることを特徴とする方法。
【請求項１７】
請求項１３に記載の方法において、前記封止された袋が簡単な開封及び密封の為に、ジップロックを有することを特徴とする方法。
【請求項１８】
請求項１３に記載の方法において、前記袋及び前記複数のペトリ皿が、無菌環境中で無菌的に取り扱われることを特徴とする方法。
【請求項１９】
請求項１３に記載の方法において、前記複数のペトリ皿が、約１０〜約２０個のペトリ皿からなることを特徴とする方法。
【請求項２０】
請求項１３に記載の方法において、前記複数のペトリ皿及びその中に含有される栄養培地が、少なくとも１２か月の間、保管寿命を有し、かつ無菌性を維持することを特徴とする方法。
【国際調査報告】
2014520039.tif 000007